(57)【要約】【課題】選挙運動用ポスターを掲示するための看板の設置及び廃棄に伴う労力、資材及びこれらに要する経費を軽減し、資材の廃棄量を削減することが可能な看板装置を提供する。【解決手段】看板装置１は、支柱１１間に看板用ボード１３を掛け渡した看板ユニット１０を備え、該看板ユニット１０には看板用ボード１３に重ねて選挙運動用ポスター掲示用のポスターボード４０を着脱自在に取付ける保持具２０を備えている。【選択図】図１
2009282246.tif 000002
【特許請求の範囲】
【請求項１】
支柱間に看板用のボードを掛け渡した看板ユニットを備え、
該看板ユニットには前記ボードに重ねて選挙運動用ポスター掲示用のポスターボードを着脱自在に取付ける保持具を備えたこと、
を特徴とする看板装置。
【請求項２】
前記ポスターボードが上下に分割され、
前記保持具が、上部ポスターボードの上縁を保持する上縁保持部材と、下部ポスターボードの下縁を保持する下縁保持部材と、上部ポスターボードの下縁及び下部ポスターボードの上縁を一体に保持する中間保持部材とを備えたこと、
を特徴とする請求項１に記載の看板装置。
【請求項３】
前記支柱がＣ形鋼であり、
前記中間保持部材が前記Ｃ形鋼の開口部に取付けられること、
を特徴とする請求項２に記載の看板装置。
【請求項４】
前記支柱と横並びに地中に埋設可能な補助支柱を備え、
該補助支柱とこれに隣接する支柱との間にポスターボードを増設可能としたこと、
を特徴とする請求項１から３のいずれかに記載の看板装置。
【発明の詳細な説明】
【技術分野】
【０００１】
本発明は、看板を増設可能な看板装置に関する。
【背景技術】
【０００２】
議員や首長等の公職の選挙が行われる場合、候補者の選挙運動用ポスターを掲示するための掲示場に選挙看板が設置される（例えば、特許文献１参照）。この選挙看板は、例えば、木材等からなる２本の支柱に選挙運動用ポスターを掲示するための板を取り付けたものである。
【特許文献１】特開２００６−２５６２３４号公報
【発明の開示】
【発明が解決しようとする課題】
【０００３】
通常、選挙看板は、選挙が行われる毎に公示・告示の日に合わせて設置され、投票が終わると撤去及び廃棄される。これは、選挙看板が比較的大きい、土地利用の観点から掲示場を常時確保しておくことが難しい等の理由による。このため、選挙看板の設置及び撤去のための労力負担、人件費がかさむことによる経済的損失、及び、資材の無駄が著しいという問題があった。特に、選挙看板を構成する板材、支持用の木材、選挙看板に貼り付けられるフィルム等は焼却処分されることが多かったが、二酸化炭素の排出量の削減が望まれる現代において、環境問題の観点から、選挙が行われる毎に多量の資材を焼却処分する状況は早急に改善すべきである。
そこで、本発明は、上述した問題点に鑑み、選挙運動用ポスターを掲示するための看板の設置及び廃棄に伴う労力、資材及びこれらに要する経費を軽減し、資材の廃棄量を削減することが可能な看板装置を提供することを目的とする。
【課題を解決するための手段】
【０００４】
上記課題を解決するため、本発明は、支柱間に看板用のボードを掛け渡した看板ユニットを備え、該看板ユニットには前記ボードに重ねて選挙運動用ポスター掲示用のポスターボードを着脱自在に取付ける保持具を備えたことを特徴とする看板装置を提供する。
この構成によれば、看板用のボードを備えた看板ユニットに、選挙運動用ポスター掲示用のポスターボードを着脱自在に取付けることが可能であるため、選挙期間中等の必要時にのみポスターボードを取り付けて選挙運動用ポスターを掲示することができ、ポスターボードを取り外せば、看板用のボードにより広告等を表示して、通常の看板として利用できる。つまり、必要時には選挙運動用ポスターを掲示する看板装置として使用し、それ以外の通常時には看板として使用できる。これにより、選挙看板を設置及び撤去するために必要な労力及び資材の負担を極めて小さく抑えることができる。特に、ポスターボードが繰り返し使用可能なものであれば、廃棄される資材が無くなるので、１回の選挙で消費される資材の量、すなわち資材の排気量を大幅に削減できる。
加えて、既に看板が設置されている場所を、選挙運動用ポスターを掲示する掲示場として使用できるので、掲示場の用地として更地を確保しておく必要がなくなるので、掲示場の確保に要するコストの低減を図ることも可能となる。
【０００５】
上記構成において、前記ポスターボードが上下に分割され、前記保持具が、上部ポスターボードの上縁を保持する上縁保持部材と、下部ポスターボードの下縁を保持する下縁保持部材と、上部ポスターボードの下縁及び下部ポスターボードの上縁を一体に保持する中間保持部材とを備えた構成としてもよい。
この場合、上縁保持部材、下縁保持部材、及び中間保持部材の３カ所の保持部材によって、上下に分割されたポスターボードを確実に保持できるので、保持部材によって看板用のボードが隠される面積をごく小さくすることができ、看板としての機能に支障を来さないように、ポスターボードを着脱可能に保持する構成を実現できる。
【０００６】
また、上記構成において、前記支柱がＣ形鋼であり、前記中間保持部材が前記Ｃ形鋼の開口部に取付けられる構成としてもよい。
この場合、Ｃ形鋼の開口部を利用することにより、中間保持部材を容易に、かつ強固に取り付けできる。また、支柱をＣ形鋼で構成することによって低コストで高強度の看板装置を実現できる。加えて、Ｃ形鋼の内部に形成される空間を利用して、着脱される部品や予備の部品を収容することも可能であり、この場合には部品の保管場所を別途用意する必要がなくなる上に、部品の紛失を防止できるという利点がある。ここで、支柱の内部に部品を収容する場合には、支柱を高さ方向に仕切る仕切板と、支柱の開口部を塞ぐ鍵付きの扉とを設けて、支柱の一部を鍵付きの部品収容庫とすれば、部品の盗難の心配がなく、非常に便利である。
【０００７】
さらに、上記構成において、前記支柱と横並びに地中に埋設可能な補助支柱を備え、該補助支柱とこれに隣接する支柱との間にポスターボードを増設可能とした構成としてもよい。
この場合、看板ユニットにポスターボードを取り付けるとともに、補助支柱と、これに隣接する支柱との間にポスターボードを増設できるので、選挙運動用ポスターを掲示する面積が不足した場合に、ポスターボードを増設することで必要な掲示面積を容易に確保できる。
【発明の効果】
【０００８】
本発明によれば、選挙運動用ポスターを掲示するための看板を設置及び撤去するために必要な労力及び資材の負担を極めて小さく抑えることができ、１回の選挙で消費される資材の量、すなわち資材の排気量を削減できる。また、選挙運動用ポスターの掲示場の確保に要するコストを低減させることもできる。
【発明を実施するための最良の形態】
【０００９】
以下、図を参照して本発明の実施形態について説明する。
図１は、本発明を適用した看板装置１の構成を示す正面図であり、図２は右側面視図、図３は図１のＡ−Ａ´線における横断面視図である。図１〜図３には、ポスターボード４０が装着されていない状態を実線で示し、ポスターボード４０の取り付け位置を仮想線で示す。
【００１０】
看板装置１は、地面に立設された２本の支柱１１と、支柱１１の間に掛け渡された看板用のボードとしての看板用ボード１３と、を備えて構成される。看板用ボード１３は、広告を表示したり、掲示物を掲示したりするために使用される板材であり、木製、合成樹脂製（発泡樹脂、非発泡樹脂及び繊維強化樹脂を含む）或いはセラミックス製の板材を用いることが可能である。具体的には、セラミックス等からなる合成木材や、発泡ポリスチレンや発泡ウレタン等の発泡樹脂製の板材の表裏両面を、繊維強化樹脂（例えば、長繊維強化ポリプロピレン）等により被覆したもの等が挙げられる。看板用ボード１３の両端は、それぞれ左右２本の支柱１１にボルト（図示略）等により固定されている。
【００１１】
２本の支柱１１の基端部は、それぞれ、地中に埋没設置されたコンクリート製の基礎１５に埋め込まれており、基礎１５によって支持される。また、２本の支柱１１に跨って、支柱１１の上面及び看板用ボード１３の上縁を、雨水等が侵入しないように覆う上部枠１７が取り付けられている。
【００１２】
看板ユニット１０の支柱１１の前面には、保持具２０を構成する上縁保持部材２１、中間保持部材２３、及び下縁保持部材２５が、それぞれ取り付けられている。保持具２０は、ポスターボード４０を看板ユニット１０に着脱可能に保持するための部材であり、上縁保持部材２１は支柱１１の上端またはその近傍に、中間保持部材２３は支柱１１の高さ方向ほぼ中央に、下縁保持部材２５は支柱１１の下部に配設されている。
【００１３】
ポスターボード４０は、選挙運動用ポスターを掲示するための板材であって、木材、合成樹脂（発泡樹脂及び非発泡樹脂を含む）或いはセラミックス等を原料とする１０ｍｍ〜１５ｍｍ程度の板材を用いることが可能である。ポスターボード４０の材料としては、選挙運動用ポスターの掲示に必要な強度、剛性及び耐候性を備えたものが好ましく、軽量であれば看板ユニット１０への着脱作業が容易になるので、より好ましい。具体的には、セラミックス等からなる合成木材や、発泡ポリスチレンや発泡ウレタン等の発泡樹脂製の板材の表裏両面を、繊維強化樹脂（例えば、長繊維強化ポリプロピレン）等により被覆したもの等が挙げられる。
ポスターボード４０は上下に２分割されており、図中仮想線で示すように、上側に位置する上部ポスターボード４１は、上縁保持部材２１と中間保持部材２３とによって上下から挟まれて支持され、下側の下部ポスターボード４３は中間保持部材２３と下縁保持部材２５とによって上下から挟まれて支持される。
【００１４】
図２に詳細に示すように、上縁保持部材２１は、側面視でＬ字形状に形成された金属製部材であり、支柱１１の前方に突出するように立設され、上部ポスターボード４１の上縁部を前方から保持する。下縁保持部材２５も同様に、側面視でＬ字形状に形成された金属製部材であり、支柱１１の前方に突出するように立設されて、下部ポスターボード４３の下縁部を下及び前から保持する。上縁保持部材２１及び下縁保持部材２５は、例えば溶接によって支柱１１に固定される。
【００１５】
また、中間保持部材２３は、側面視でＬ字形状に形成された上側下縁保持部材２７及び下側上縁保持部材２８を背中合わせに接合した構成を有する。上側下縁保持部材２７と下側上縁保持部材２８とは、その接合部分に後述するボルト３１を貫通させ得るように固定されている。上側下縁保持部材２７及び下側上縁保持部材２８は、支柱１１の前方に突出するように立設され、上側下縁保持部材２７は上部ポスターボード４１の下縁を下方及び前方から保持し、下側上縁保持部材２８は下部ポスターボード４３の上縁部を前方から保持する。
【００１６】
Ｃ形鋼として構成される支柱１１は、その開口部１１Ａを前に向けて立設され、上側下縁保持部材２７及び下側上縁保持部材２８は、開口部１１Ａの内外を貫通するボルト３１と、このボルト３１に螺合されるナット３３とによって、支柱１１に固定される。
ボルト３１は、支柱１１の内側に配設される回り止め部材３５に、溶接等により固定されている。
【００１７】
回り止め部材３５は、支柱１１の内部から開口部１１Ａに嵌り込んで固定される部材である。図３に示すように、下縁保持部材２５は、開口部１１Ａに嵌合する嵌合部３５Ｂと、この嵌合部３５Ｂに重なる平板部３５Ａとを有する。平板部３５Ａは嵌合部３５Ｂより長く形成されているため、回り止め部材３５の端部では平板部３５Ａと嵌合部３５Ｂとが段差を形成し、支柱１１の内面と開口部１１Ａとの段差に咬み合うようになっている。ここで、嵌合部３５Ｂの厚みは支柱１１の肉厚よりも厚いことが好ましい。
【００１８】
回り止め部材３５は、図２及び図３に示す装着状態において横長となるよう形成され、嵌合部３５Ｂの幅は開口部１１Ａの幅にほぼ等しく、平板部３５Ａの先端は開口部１１Ａからはみ出している。一方、この取り付け状態における回り止め部材３５の幅（高さ）は、開口部１１Ａの幅より小さい。
従って、回り止め部材３５は、その長手方向を支柱１１の高さ方向に合わせて開口部１１Ａに挿入され、支柱１１の内部で略９０度回転され、支柱１１の前面側に引っ張られることで開口部１１Ａに嵌り込んで取り付けられ、嵌合部３５Ｂが開口部１１Ａに嵌合して回転不可能となる。
【００１９】
一方、中間保持部材２３の前面には、上側下縁保持部材２７と下側上縁保持部材２８との両方に跨るようにワッシャ３７が配置され、ワッシャ３７にはボルト３１を貫通させるためのボルト孔（図示略）が形成されている。ワッシャ３７は、上側下縁保持部材２７及び下側上縁保持部材２８に溶接等により固定されていてもよい。
平板部３５Ａ及び嵌合部３５Ｂにはボルト３１を貫通させるためのボルト孔（図示略）が形成されており、ボルト３１の頭部は平板部３５Ａに溶接等によって固定され、ボルト３１の先端は支柱１１の前方に突出する。このボルト３１をワッシャ３７に貫通させて、ナット３３を締め込むことにより、支柱１１の内部の回り止め部材３５と中間保持部材２３とが連結されて、中間保持部材２３が定位置に固定される。
【００２０】
このように構成される看板装置１は、選挙期間以外の通常時には、看板用ボード１３が露出して通常の看板として機能する。この状態で、上縁保持部材２１、中間保持部材２３及び下縁保持部材２５は、それぞれ看板用ボード１３を隠さない位置に配設されており、看板用ボード１３による看板表示の邪魔にならない。
そして、各種議会議員選挙或いは首長選挙の実施に際し、選挙運動用ポスターの掲示場を設ける場合には、看板ユニット１０にポスターボード４０を取り付けるだけで、速やかにポスターを掲示可能となる。
【００２１】
すなわち、ナット３３を緩めて中間保持部材２３を取り外し、或いは、回転可能としてから、下部ポスターボード４３を下側上縁保持部材２８と下縁保持部材２５との間に入れ、上部ポスターボード４１を上縁保持部材２１と上側下縁保持部材２７との間に入れて、その後にナット３３を強く締め込んで中間保持部材２３を固定するだけで、簡単に、ポスターボード４０を取り付けることができる。
選挙期間が終了して選挙運動用ポスターの掲示の必要がなくなった場合には、上記と逆の手順により、ナット３３を緩めてポスターボード４０を看板ユニット１０から取り外し、通常の看板に戻せばよい。
【００２２】
このように、看板装置１は上縁保持部材２１、中間保持部材２３及び下縁保持部材２５を用いて、ポスターボード４０を損傷及び消耗させることなく固定可能なため、ポスターボード４０を繰り返し使用できる。このため、選挙運動用ポスターの掲示場の確保に伴う資材の消費量を、極めて少量に抑えられる。
【００２３】
以上説明したように、看板装置１は、必要時には選挙運動用ポスターを掲示する掲示場として使用し、それ以外の通常時には看板として使用できるので、選挙看板を設置及び撤去するために必要な労力及び資材の負担を極めて小さく抑えることができる。また、ポスターボード４０を繰り返し使用できるため、１回の選挙で消費される資材の量、すなわち資材の排気量を大幅に削減できる。さらに、選挙運動用ポスターの掲示場として使用する場所を、通常時には看板用ボード１３による看板表示場所として利用できるので、掲示場の用地の確保が容易である上、場所の利用効率を高めることで、掲示場の確保に要するコストの低減を図ることが可能となる。
【００２４】
そして、図２及び図３に示すように、看板ユニット１０にポスターボード４０を取り付けた場合には、上部ポスターボード４１及び下部ポスターボード４３は、いずれも、看板ユニット１０の看板用ボード１３にほぼ密着する。上部ポスターボード４１及び下部ポスターボード４３は、保持具２０によって前方に移動しないよう保持されるので、上部ポスターボード４１及び下部ポスターボード４３が看板用ボード１３に密着した状態が保たれる。
【００２５】
このため、ポスターボード４０と看板用ボード１３との間に風が吹き込む隙間がほとんど無く、強風の吹き込みが生じないので、ポスターボード４０及び看板用ボード１３の風雨による劣化、及び、がたつきに起因する損傷を抑制できる。
従って、看板装置１は耐候性に優れ、風雨に晒される条件であっても良好な状態で選挙運動用ポスターの掲示を行うことができ、ポスターボード４０を長期間にわたって繰り返し使用できる。
【００２６】
また、支柱１１がＣ形鋼で構成されているため、このＣ形鋼の開口部を利用して、中間保持部材２３を、容易に取り付けることができる。すなわち、Ｃ形鋼で構成される支柱１１の開口部１１Ａから回り止め部材３５を差し入れて回転させ、ナット３３をボルト３１に螺合させて締め込むことにより、中間保持部材２３を簡単に、かつ強固に固定できる。また、中間保持部材２３を不要時に取り外すことも可能となる。さらに、通常時に看板用ボード１３の表示を邪魔しないように、支柱１１の前面に中間保持部材２３を取り付けできる。
【００２７】
そして、中間保持部材２３の取り付けは、Ｃ形鋼で構成される支柱１１の開口部１１Ａに、開口部１１Ａに対応する段付形状に形成された回り止め部材３５を差し入れて、これをほぼ直角に回転させ、回り止め部材３５に固定されたボルト３１を中間保持部材２３に貫通させてナット３３を締め込むことで、容易に行える。従って、看板ユニット１０の設置作業が非常に簡単で済むという利点がある。
また、中間保持部材２３の着脱が容易であるため、ポスターボード４０を使用しない期間に、中間保持部材２３を看板ユニット１０から取り外しておくことも可能になる。この場合、看板ユニット１０を看板として使用する状態で、看板用ボード１３の周囲がすっきりと見え、看板用ボード１３を見る人に違和感を与えにくいという利点がある。
さらに、安価で高強度のＣ形鋼を支柱１１として用いることで、看板装置１のコストの低減を図ることができる。加えて、Ｃ形鋼の内部に形成される空間を利用して、着脱される部品（例えば、中間保持部材２３等）やスペアの部品を収容することも可能であり、この場合には部品の保管場所を別途用意する必要がなくなる上に、部品の紛失を防止できる等の利点がある。ここで、支柱１１の内部に部品を収容する場合には、支柱１１を高さ方向に仕切る仕切板と、開口部１１Ａを塞ぐ鍵付きの扉とを設けて、支柱１１の一部を鍵付きの部品収容庫とすれば、部品の盗難の心配がなく、非常に便利である。
【００２８】
［変形例１］
図４は、本発明を適用した実施形態における第１の変形例の構成を示す図であり、（Ａ）は支柱の構成を示す斜視図、（Ｂ）は中間保持部材の構成を示す要部拡大断面視図である。
この図４に示す変形例は、看板装置１において、上記実施形態のＣ形鋼の支柱１１に代えて、角形鋼管の支柱５１を用いた例である。
【００２９】
図４（Ａ）に示すように、角形鋼管からなる支柱５１には、高さ方向に延びる略長方形の開口部５１Ａが形成されている。開口部５１Ａの高さ位置は、後述する中間保持部材２４の取り付け箇所、すなわち上部ポスターボード４１と下部ポスターボード４３との境界に相当する位置であり、上記実施形態の中間保持部材２３が取り付けられた位置に相当する。
支柱５１は、開口部５１Ａが前面を向くように基礎１５（図１）に立設され、支柱１１と同様に、支柱５１の上部には上縁保持部材２１が溶接等により固定され、支柱５１の下部には下縁保持部材２５が溶接等により固定される。
【００３０】
支柱５１の開口部５１Ａには、図４（Ｂ）に示す中間保持部材２４が取り付けられる。
中間保持部材２４は、上述した実施形態の中間保持部材２３に代えて用いられるものであって、上側下縁保持部材２７及び下側上縁保持部材２８を備え、ポスターボード４０を保持固定する部材である。中間保持部材２４は、支柱５１の内部に配設される支持板５５に連結されることにより、支柱５１に固定される。
【００３１】
支柱５１の内部において、開口部５１Ａの左右両側には、一対の回り止め部材５３、５３が溶接等により固定されている。回り止め部材５３は断面Ｌ字の形状を有し、支柱５１の前面の裏側に、奥側が狭くなった空間を形成する。
一方、支持板５５は開口部５１Ａより細幅に形成された長方形の板材であり、その長さは、一対の回り止め部材５３、５３間の幅とほぼ等しく形成されている。
このため、支持板５５を開口部５１Ａから差し入れて、支柱５１内で略９０度回転させると、図４（Ｂ）に示すように支持板５５が一対の回り止め部材５３の間に嵌り込み、回り止め部材５３によって支柱５１の奥側にも左右にも移動しないよう支持される。
【００３２】
また、支持板５５にはボルト５８を貫通させるためのボルト孔（図示略）が形成されており、ボルト５８の頭部は平板部３５Ａに溶接等によって固定され、ボルト５８の先端は支柱５１の前面側に突出する。
中間保持部材２３の前面には、上側下縁保持部材２７と下側上縁保持部材２８との両方に跨るようにワッシャ３７が配置され、ワッシャ３７にはボルト３１を貫通させるためのボルト孔（図示略）が形成されている。ワッシャ３７は、上側下縁保持部材２７及び下側上縁保持部材２８に溶接等により固定されていてもよい。
【００３３】
支柱５１に中間保持部材２４を取り付ける場合には、上述のように支持板５５を支柱５１の内部に挿入して回転させ、ボルト５８を中間保持部材２４及びワッシャ５７に貫通させてナット５９を締め込み、中間保持部材２４と支持板５５とを連結すればよい。
【００３４】
このように、支柱５１として角形鋼管を用いた場合であっても、開口部５１Ａを設けるとともに支柱５１内に回り止め部材５３を配設し、この回り止め部材５３に嵌り込むように、支持板５５を配設するで、図１〜図３を参照して説明した実施形態と同様に、中間保持部材２４を容易に支柱５１に取り付けることができる。そして、この構成では、上記の実施形態と同様の効果が得られ、さらに、支柱５１として角形鋼管を用いることができる。
【００３５】
［変形例２］
図５は、本発明を適用した実施形態における第２の変形例の構成を示す図である。
この図５に示す変形例２は、図１に示した看板ユニット１０の横並びに補助支柱１２を設けて、新たにポスターボード４２を増設可能とした看板装置１Ａについて説明する。
【００３６】
看板装置１Ａにおいては、看板ユニット１０の側方に、横並びに補助支柱１２が立設されている。補助支柱１２は、支柱１１とほぼ同じ高さを有する金属製の柱であり、例えば、複数段に伸縮可能に構成された鋼管柱である。補助支柱１２の上端またはその近傍には上縁保持部材２１が固定され、補助支柱１２の高さ方向略中央部には中間保持部材２６が取り付けられ、補助支柱１２の下部には下縁保持部材２５が配設されている。
【００３７】
この補助支柱１２と支柱１１との間には、増設用の２枚のポスターボード４２、４４を取り付け可能である。ポスターボード４２、４４は上下２段に並べて配設可能であり、上部ポスターボード４１及び下部ポスターボード４３と合わせると、看板装置１Ａには４枚のポスターボードを取り付けて、選挙運動用ポスターを掲示するための広大な面積を確保できる。
ここで、中間保持部材２６は、上段のポスターボード４２の下縁を下方及び前方から保持するとともに、下段のポスターボード４４の上縁を前方から保持する。
【００３８】
看板ユニット１０を構成する２本の支柱１１の間には、上記実施形態で説明したように上下２段のポスターボード４０が架け渡される。ここで、補助支柱１２を使用する場合、ポスターボード４０は補助支柱１２の隣に位置する支柱１１の中央で固定され、その隣のポスターボード４２、４４に接する。
つまり、２本の支柱１１の間において１枚の上部ポスターボード４１が保持され、この上部ポスターボード４１の隣に接して、ポスターボード４２が、支柱１１と補助支柱１２との間に架け渡され、上部ポスターボード４１とポスターボード４２との境界は支柱１１の前面となる。同様に、下部ポスターボード４３とポスターボード４４とは支柱１１の前面を境界として隣接する。
【００３９】
また、中間保持部材２６および下縁保持部材２５は、例えばボルト止め等の方法によって、補助支柱１２に対して着脱可能に取り付けられ、ポスターボード４２を設置しない場合には取り外しておくことができる。
そして、上記のように伸縮可能に構成された補助支柱１２は、地中に埋設された地中埋設管１４内に収容可能である。地中埋設管１４は、補助支柱１２の直下に埋設された管であって、その上端にはカバー１６が配設されている。カバー１６は、補助支柱１２の使用時には地中埋設管１４の地表面における開口部の縁を保護し、補助支柱１２を地中埋設管１４に収容した状態では上記開口部を塞ぐ蓋として機能する。
【００４０】
このように構成される看板装置１Ａにおいては、複数のポスターボードを横方向に並べて使用する場合に、看板ユニット１０の側方に延長して使用できる。このため、選挙運動用ポスターの掲示に必要な面積が、ポスターボード４０だけでは不足する場合に、さらにポスターボード４２、４４を設置して、掲示面積を大幅に拡大できる。この場合に確保できる面積は、通常時に看板用ボード１３が設置された場所の広さの制約を受けないので、例えば支柱１１と補助支柱１２との間隔を、２本の支柱１１の間隔よりも広くし、この広い間隔に跨るように長いポスターボード４２を取り付けることも可能である。従って、選挙運動用ポスターの掲示面積を大幅に拡大できるという利点がある。
また、補助支柱１２は、地中の地中埋設管１４内に収容しておくことが可能であり、必要時に速やかに地中から取り出して設置できる。このため、非使用時に邪魔にならないよう収容しておくことができるので、用地の有効利用を図ることができる。
【００４１】
なお、上記の変形例２の構成において、補助支柱１２の横に並べて補助支柱１２をさらに設置し、２本の補助支柱１２の間にポスターボード４２を取り付け可能な構成としてもよい。このようにして多数の補助支柱１２を並べて設置することで、制限なく、選挙運動用ポスターの掲示面積を拡大でき、その設置数は制限されない。
また、補助支柱１２は伸縮可能な構成に限らず、例えば、上記実施形態の支柱１１と同様にＣ形鋼で構成してもよい。この場合、中間保持部材２６に代えて中間保持部材２３を用いることも勿論可能である。さらに、補助支柱１２として変形例１のように角形鋼管を用いてもよく、この場合、中間保持部材２６に代えて中間保持部材２４を用いればよい。
【００４２】
さらに、補助支柱１２を伸縮不可能な１本の柱として構成してもよい。この場合、地中埋設管１４の深さが、補助支柱１２を縮めることなく収容可能な深さであればよく、補助支柱１２は鋼管柱またはＣ形鋼のどちらを用いてもよい。
また、補助支柱１２が備える上縁保持部材２１、中間保持部材２６、及び下縁保持部材２５が、補助支柱１２から取り外しできないよう固定されていてもよい。この場合には、地中埋設管１４の断面積が、上縁保持部材２１、中間保持部材２６、及び下縁保持部材２５が装着された状態の補助支柱１２を収容可能なサイズであればよい。また、地中埋設管１４の断面形状は角形、円形、楕円形或いは他の形状のどれでもよく、特に制限されない。
【００４３】
また、上記実施形態及び各変形例において、中間保持部材２３を構成する上側下縁保持部材２７及び下側上縁保持部材２８は、ボルト３１を貫通させ得る空間を確保するため、離隔されているものとして説明したが、本発明はこれに限定されるものではなく、上側下縁保持部材２７及び下側上縁保持部材２８の平面部が互いに重なるよう接合し、この接合面に、ボルト３１を貫通させるためのボルト孔（図示略）を穿設してもよい。この場合、上側下縁保持部材２７と下側上縁保持部材２８の平面部の板厚が、ボルト３１の径と同等以上であれば、容易に実現可能である。
また、上記実施形態及び各変形例においては上下２段の上部ポスターボード４１及びポスターボード４２を取り付け可能なものとしたが、例えば、上下３段にポスターボードを並べて取り付け可能な構成としてもよい。その他の細部構成についても、本発明の趣旨を逸脱しない範囲において任意に変更可能である。
【図面の簡単な説明】
【００４４】
【図１】本発明を適用した看板装置の構成を示す正面図である。
【図２】看板装置の右側面視図である。
【図３】図１のＡ−Ａ´線における横断面視図である。
【図４】実施形態の変形例の構成を示す図であり、（Ａ）は支柱の構成を示す斜視図であり、（Ｂ）は中間保持部材の構成を示す要部拡大断面視図である。
【図５】実施形態の別の変形例として、看板装置に増設支柱を加えた構成を示す正面図である。
【符号の説明】
【００４５】
１  看板装置
１０  看板ユニット
１１、５１  支柱
１１Ａ、５１Ａ  開口部
１３  看板用ボード（看板用のボード）
１５  基礎
２０  保持具
２１  上縁保持部材
２３、２４、２６  中間保持部材
２５  下縁保持部材
３１、５８  ボルト
３３、５９  ナット
３５  回り止め部材
４０  ポスターボード
４１  上部ポスターボード
４３  下部ポスターボード
５３  回り止め部材
５５  支持板
【図１】
2009282246.tif 000003
【図２】
2009282246.tif 000004
【図３】
2009282246.tif 000005
【図４】
2009282246.tif 000006
【図５】
2009282246.tif 000007